(57)【要約】【課題】オゾン−マイナスイオンガスによる消臭が可能であり、かつ汎用性に優れる消臭装置を実現する。【解決手段】消臭装置（１００）は、筒部（３）を有する収容器（１）と、筒部（３）に着脱自在に挿入されるオゾン−マイナスイオンガスの発生装置（２）とを有している。発生装置（２）は、オゾン−マイナスイオンガスの発生部と、当該発生部を外部と連通する通気口と、筒部との隙間を塞ぐ接合部とを有する。【選択図】図１
2019097822.tif 000002
【特許請求の範囲】
【請求項１】
対象物を消臭するための消臭装置であって、
前記対象物を密封して収容するための収容器と、
前記収容器の内外を連通する筒部と、
オゾン−マイナスイオンガスを発生させるためのオゾン−マイナスイオンガス発生部をその一端部に内蔵し、前記オゾン−マイナスイオンガス発生部を前記収容器の内部に向けて前記筒部に着脱自在に挿入されているオゾン−マイナスイオンガス発生装置と、
前記オゾン−マイナスイオンガス発生部よりも他端側で、前記オゾン−マイナスイオンガス発生装置と前記筒部との隙間を塞ぐ接合部と、を有し、
前記オゾン−マイナスイオンガス発生装置は、前記オゾン−マイナスイオンガス発生部および前記収容器内部を連通する通気口を有する、消臭装置。
【請求項２】
前記接合部は、前記オゾン−マイナスイオンガス発生装置の全周に配置された、前記筒部の開口端に当接するフランジ部である、請求項１に記載の消臭装置。
【請求項３】
前記接合部は、弾性を有している、請求項１または２に記載の消臭装置。
【請求項４】
前記オゾン−マイナスイオンガス発生装置は、前記接合部よりも他端側に、前記オゾン−マイナスイオンガス発生部を操作するための操作部をさらに有している、請求項１〜３のいずれか１項に記載の消臭装置。
【請求項５】
前記筒部は、その内周面に、前記筒部の軸方向に沿って延出している凸条をさらに有し、
前記オゾン−マイナスイオンガス発生装置は、その外周面に、前記凸条に係合する凹条をさらに有する、請求項１〜４のいずれか１項に記載の消臭装置。
【請求項６】
前記オゾン−マイナスイオンガス発生装置は、前記オゾン−マイナスイオンガス発生部でオゾン−マイナスイオンガスを発生させるための電力を供給するための電力供給部が、前記接合部よりも他端部に配置されている、請求項１〜５のいずれか１項に記載の消臭装置。
【請求項７】
対象物を収容するための収容器の内外を連通する筒部に着脱自在に挿入されて前記収容器内の前記対象物の消臭に用いられるオゾン−マイナスイオンガス発生装置であって、
その一端部に内蔵されているオゾン−マイナスイオンガスを発生させるためのオゾン−マイナスイオンガス発生部と、
前記一端部に開口し、前記オゾン−マイナスイオンガス発生部を外部と連通する通気口と、
前記オゾン−マイナスイオンガス発生部を前記収容器の内部に向けて前記筒部に挿入したときに、前記オゾン−マイナスイオンガス発生部よりも他端側で、前記オゾン−マイナスイオンガス発生装置と前記筒部との隙間を塞ぐ接合部と、
を有するオゾン−マイナスイオンガス発生装置。
【発明の詳細な説明】
【技術分野】
【０００１】
本発明は消臭装置およびオゾン−マイナスイオンガス発生装置に関する。
【背景技術】
【０００２】
オゾンおよび負イオン（以下、マイナスイオンと記載することがある）の混合ガス（以下、「Ｏ−Ｍガス」と記載することがある）は静菌作用または殺菌作用を有しており、微生物増殖抑制に効果があることが知られている。よって、Ｏ−Ｍガスは、消臭に有効である。Ｏ−Ｍガスを発生させる方法には、コロナ放電による方法が知られている（例えば、非特許文献１参照）。
【先行技術文献】
【非特許文献】
【０００３】
【非特許文献１】谷村泰宏，コロナ放電による負イオンとオゾンの生成と応用，エアロゾル研究，p.14-17，Vol．17，No．1，2002
【発明の概要】
【発明が解決しようとする課題】
【０００４】
しかしながら、上述のような従来技術では、Ｏ−Ｍガスの発生装置を用いた携帯可能な、あるいは汎用性に優れる消臭装置は知られていない。このように従来技術は、携帯性または汎用性の観点から検討の余地が残されている。
【０００５】
よって、本発明の一態様は、Ｏ−Ｍガスによる消臭が可能であり、かつ汎用性に優れる消臭装置を実現することを目的とする。
【課題を解決するための手段】
【０００６】
上記の課題を解決するために、本発明の一態様に係る消臭装置は、対象物を消臭するための消臭装置であって、対象物を密封して収容するための収容器と、収容器の内外を連通する筒部と、オゾン−マイナスイオンガスを発生させるためのオゾン−マイナスイオンガス発生部をその一端部に内蔵し、オゾン−マイナスイオンガス発生部を収容器の内部に向けて筒部に着脱自在に挿入されているオゾン−マイナスイオンガス発生装置と、オゾン−マイナスイオンガス発生部よりも他端側で、オゾン−マイナスイオンガス発生装置と筒部との隙間を塞ぐ接合部とを有し、オゾン−マイナスイオンガス発生装置は、オゾン−マイナスイオンガス発生部および収容器内部を連通する通気口を有する。
【０００７】
また、上記の課題を解決するために、本発明の一態様に係るオゾン−マイナスイオンガス発生装置は、対象物を収容するための収容器の内外を連通する筒部に着脱自在に挿入されて収容器内の対象物の消臭に用いられるオゾン−マイナスイオンガス発生装置であって、その一端部に内蔵されているオゾン−マイナスイオンガスを発生させるためのオゾン−マイナスイオンガス発生部と、一端部に開口し、オゾン−マイナスイオンガス発生部を外部と連通する通気口と、オゾン−マイナスイオンガス発生部を収容器の内部に向けて筒部に挿入したときに、オゾン−マイナスイオンガス発生部よりも他端側で、オゾン−マイナスイオンガス発生装置と筒部との隙間を塞ぐ接合部とを有する。
【発明の効果】
【０００８】
本発明の一態様によれば、Ｏ−Ｍガスによる消臭が可能であり、かつ汎用性に優れる消臭装置を実現することができる。
【図面の簡単な説明】
【０００９】
【図１】（ａ）は、本発明の一実施形態に係る消臭装置の構成を模式的に示す図であり、（ｂ）は、上記消臭装置の筒部にオゾン−マイナスイオンガス発生装置が挿入された状態を模式的に示す図である。
【図２】（ａ）は、本発明の一実施形態に係るオゾン−マイナスイオンガス発生装置の平面図であり、（ｂ）は、上記オゾン−マイナスイオンガス発生装置の底面図である。
【図３】（ａ）は、上記オゾン−マイナスイオンガス発生装置の正面図であり、（ｂ）は、上記オゾン−マイナスイオンガス発生装置の左側面図であり、（ｃ）は、上記オゾン−マイナスイオンガス発生装置の右側面図である。
【図４】（ａ）は、本発明の一実施形態に係る収容器および筒部を模式的に示す図であり、（ｂ）は、（ａ）で示す筒部を模式的に示す図である。
【図５】（ａ）は、上記筒部の変形例を模式的に示す図であり、（ｂ）は、（ａ）で示す筒部を有する消臭装置を模式的に示す図である。
【図６】（ａ）は、上記収容部および上記筒部の第一の変形例を模式的に示す図であり、（ｂ）は、上記収容部および上記筒部の第二の変形例を模式的に示す図である。
【図７】本発明の一実施形態に係るオゾン−マイナスイオンガス発生装置の構成を示す機能ブロック図である。
【発明を実施するための形態】
【００１０】
以下、本発明の一実施形態について、詳細に説明する。なお、以下の説明において、「オゾン−マイナスイオンガス」は、オゾンとマイナスイオンとの両方を含有するガスを意味し、「Ｏ−Ｍガス」とも言う。
【００１１】
〔消臭装置〕
図１の（ａ）は、本発明の一実施形態に係る消臭装置の構成を模式的に示す図であり、（ｂ）は、上記消臭装置の筒部にオゾン−マイナスイオンガス発生装置が挿入された状態を模式的に示す図である。また、図４の（ａ）は、本発明の一実施形態に係る収容器および筒部を模式的に示す図であり、（ｂ）は、（ａ）で示す筒部を模式的に示す図である。消臭装置１００は、対象物４を消臭するための消臭装置であって、図１の（ａ）に示されるように、収容器１、Ｏ−Ｍガス発生装置２および筒部３を有している。
【００１２】
（収容器）
収容器１は、対象物４を密封して収容するための容器である。収容器１は、後述するＯ−Ｍガス発生装置２の挿入により、対象物４を密封して収容可能であればよい。たとえば、収容器１には、対象物４を出し入れするための開口部を有する。この開口部は、対象物４が通過可能であるとともに、対象物４が収容された状態で収容器１を密封するように、開閉自在に構成されている。ここで、「密封」とは、消臭時に収容器１内部のガスが収容器１外に実質的に漏出しない程度に気密な状態となることを意味する。
【００１３】
収容器１は、対象物４を収容可能な範囲において適宜に決めることが可能である。より具体的には、収容器１は、対象物４の収容に適した大きさおよび形状を有し、対象物４の密封に適した素材で形成されてよい。収容器１の例には、ポリ袋およびアクリル製容器が含まれる。
【００１４】
（対象物）
対象物４は、消臭される対象である。対象物４は、Ｏ−Ｍガスにより実質的に変質、変形しない物体から選ばれる。対象物４の例には、靴、鞄、布団、タオル、衣類、ヘルメットおよびスマートフォンなどが含まれる。
【００１５】
（筒部）
筒部３は、図１の（ａ）、図１の（ｂ）、図４の（ａ）および図４の（ｂ）に示されるように、収容器１に配置されており、収容器１の内外を連通している。について、図１（ｂ）の消臭装置１００における、Ｏ−Ｍガス発生装置２、筒部３、ならびに接合部５の嵌合状態の一例を模式的に示した図と、図４（ｂ）の筒部３を示した概要図を用いて説明する。
【００１６】
筒部３は、図１の（ａ）、図１の（ｂ）、図４の（ａ）および図４の（ｂ）に示されるように、収容器１に配置されており、収容器１の内外を連通している。筒部３の軸方向に直交する断面の形状は、矩形であるが、後述するＯ−Ｍガス発生装置２を着脱自在に挿入可能な形状であればよい。筒部３の断面の形状の例には、矩形以外の多角形、円形、および楕円形などの非円形が含まれる。また、筒部３の素材は、収容器１に配置することができ、かつＯ−Ｍガス発生装置２を着脱自在に挿入可能であればよい。筒部３の例には、プラスチックなどの樹脂、および金属、が含まれる。
【００１７】
筒部３は、その内周面に、筒部３の軸方向に沿って延出している凸条１２を有している。より詳しくは、凸条１２は、筒部３の対向する一対の内周壁面のそれぞれに、筒部３の軸方向の全長に亘って配置されている。凸条１２は、後述するＯ−Ｍガス発生装置２の凹条６に係合可能な形状を有していればよい。凸条１２の延出方向に直交する断面の形状は、例えば矩形であるが、その例には、矩形以外の多角形および半円形が含まれる。
【００１８】
（Ｏ−Ｍガス発生装置）
図２の（ａ）は、Ｏ−Ｍガス発生装置２の平面図であり、図２の（ｂ）は、Ｏ−Ｍガス発生装置２の底面図である。また、図３の（ａ）は、Ｏ−Ｍガス発生装置２の正面図であり、図３の（ｂ）は、Ｏ−Ｍガス発生装置２の左側面図であり、図３の（ｃ）は、Ｏ−Ｍガス発生装置２の右側面図である。
【００１９】
Ｏ−Ｍガス発生装置２は、Ｏ−Ｍガス発生部をその一端部に内蔵しており、このＯ−Ｍガス発生部を収容器１の内部に向けて、筒部３に着脱自在に挿入されている。なお、図１の（ｂ）における紙面に向かって左側（差し込み方向の矢印の先端側）を一端側、右側を他端側とも言う。
【００２０】
Ｏ−Ｍガス発生部は、例えば、Ｏ−Ｍガス発生装置２の一端部内の空間と、そこに配置されているＯ−Ｍガス発生機構とを含む。Ｏ−Ｍガス発生機構は、オゾンおよびマイナスイオンの両方を発生する機構であればよく、その例には、コロナ放電器が含まれる。Ｏ−Ｍガス発生機構の種類および数は、収容器１中の対象物４の消臭に十分量のＯ−Ｍガスを発生可能な範囲において適宜に決めることが可能である。
【００２１】
また、Ｏ−Ｍガス発生装置２は、通気口７を有している。通気口７は、Ｏ−Ｍガス発生装置２の上面の一端部に開口し、またＯ−Ｍガス発生部にも開口している。通気口７は、複数配置されており、その開口形状は円形である。また、Ｏ−Ｍガス発生装置２は、通気口１０を有している。通気口１０は、Ｏ−Ｍガス発生装置２の一端面に開口し、またＯ−Ｍガス発生部にも開口している。通気口１０も、通気口７と同様に複数配置されており、その開口形状は円形である。通気口７および通気口１０は、いずれも、Ｏ−Ｍガス発生部および収容器１内部を連通している。通気口７および通気口１０の数、形状および大きさは、対象物４の消臭のために収容器１内にＯ−Ｍガスを十分に供給可能な通気性が確保可能な範囲において適宜に決めることが可能である。
【００２２】
また、Ｏ−Ｍガス発生装置２は、接合部５を有している。接合部５は、Ｏ−Ｍガス発生装置２の長手方向の中央部に配置されているフランジ部である。このフランジ部は、当該長手方向を横断する方向に、Ｏ−Ｍガス発生装置２の全周に配置されている。当該フランジ部は、筒部３の開口端に当接するのに十分な長さまでＯ−Ｍガス発生装置２の表面から外方へ突き出ている。フランジ部は、弾性を有している。たとえば、フランジ部は、ゴム（シリコンゴム、合成ゴム等）、ウレタン、およびエラストマー等で形成されている。このように、接合部５は、Ｏ−Ｍガス発生部よりも他端側で、Ｏ−Ｍガス発生装置２と筒部３との隙間を塞ぐように構成されている。
【００２３】
また、Ｏ−Ｍガス発生装置２は、凹条６を有している。凹条６は、Ｏ−Ｍガス発生装置２の対向する一対の側面のそれぞれにおける接合部５よりも一端側の部分に、長手方向に沿って延出している。凹条６は、Ｏ−Ｍガス発生装置２を筒部３に挿入したときに筒部３の凸条１２が嵌合可能に形成されている。凹条６の長手方向に直交する断面の形状は、凸条１２のそれと同じく矩形であるが、凸条１２が嵌合可能な範囲において、他の形状であってよい。このように、Ｏ−Ｍガス発生装置２は、その外周面に、凸条１２に係合する凹条６をさらに有している。
【００２４】
Ｏ−Ｍガス発生装置２は、接合部５よりも他端側に、Ｏ−Ｍガス発生部を操作するための操作部８をさらに有している。操作部８は、例えば、ディスプレイとスイッチ９とによって構成されている。ディスプレイは、液晶表示装置などの公知の表示装置であり、例えば、操作内容、運転状況、運転条件などの操作に関する情報を表示するように構成されている。スイッチ９は、例えば、電源スイッチを含み、操作に関する情報を入力するための構成となっている。また、操作部８は、操作を支援するさらなる機能を有していてよく、例えばタイマー機能をさらに有していてよい。
【００２５】
Ｏ−Ｍガス発生装置２は、接合部５よりも他端部に配置されているＵＳＢポート（電力供給部）１１をさらに有している。より詳しくは、ＵＳＢポート１１は、Ｏ−Ｍガス発生装置２の他端面に配置されている。ＵＳＢポート１１は、Ｏ−Ｍガス発生部でＯ−Ｍガスを発生させるための電力を供給するための電力供給部である。ＵＳＢポート１１は、その他にも、上記操作に関する情報を入出力するための情報端末等であってよい。
【００２６】
〔使用形態の説明〕
まず、収容器１に対象物４を収容し、収容器１を密封する。次いで、筒部３にＯ−Ｍガス発生装置２を、Ｏ−Ｍガス発生部を収容器１に向けて挿入する。この挿入時に、Ｏ−Ｍガス発生装置２の凹条６は、筒部３の凸条１２に嵌合し、Ｏ−Ｍガス発生装置２は、筒部３の軸方向に案内されながら円滑に筒部３に挿入される。Ｏ−Ｍガス発生装置２は、接合部５が筒部３の開口端に当接するまで筒部３に挿入される。こうして、筒部３とＯ−Ｍガス発生装置２との隙間が接合部５によって塞がれ、対象物４は、収容器１に密封される。なお、電力供給部１１には、例えば、電源シールドが接続されている。
【００２７】
次いで、操作部８を操作してＯ−Ｍガスを発生させる。収容器１内の空気は、通気口７、通気口１０を介してＯ−Ｍガス発生部に供給される。Ｏ−Ｍガス発生部は、例えばコロナ放電によりオゾンおよびマイナスイオンのガス、すなわちＯ−Ｍガスを発生させる。発生したＯ−Ｍガスは、通気口７、通気口１０を介して収容器１内に放出される。たとえば、対象物４に付着する菌に由来するにおい成分は、オゾンによる殺菌により対象物４から実質的に発生しなくなる。対象物４に付着し、または対象物４から放出されたにおい成分は、オゾンによる酸化またはマイナスイオンによる電荷の中和によって変質して実質的に無臭の成分に変化する。こうして、対象物４が消臭される。収容器１は、密閉されているので、Ｏ−Ｍガスは外部に漏れ出ない。よって、対象物４は効率よく消臭され得る。
【００２８】
Ｏ−Ｍガス発生部におけるＯ−Ｍガス発生運転の時間は、例えば、対象物４の種類および大きさに応じて適宜に決めることが可能である。操作部８は、Ｏ−Ｍガス発生運転の時間が経過すると、Ｏ−Ｍガス発生部の運転を停止させ、次いで停止後の所定の待機時間（例えば１時間）を計測する。この待機時間では、収容器１内の雰囲気中のオゾンが分解される。そして、所定の待機時間を経過したら、操作部８は、当該待機時間の経過をディスプレイに表示する。
【００２９】
操作部８に待機時間の経過が表示されたら、ユーザは、収容器１を開けて対象物４を取り出す。消臭された対象物４は、ユーザの利用に供される。
【００３０】
Ｏ−Ｍガス発生装置２は、筒部３において着脱自在であることから、収容器１がＯ−Ｍガス発生装置２に対応する筒部３を有していれば、どのような形状の収容器１に対しても同一のＯ−Ｍガス発生装置２を接続することが可能である。
【００３１】
〔変形例〕
本発明は、本発明の効果が得られる範囲において、前述の実施形態以外の他の態様を含み得る。図６の（ａ）は、上記収容部および上記筒部の第一の変形例を模式的に示す図であり、図６の（ｂ）は、上記収容部および上記筒部の第二の変形例を模式的に示す図である。
【００３２】
消臭装置２００は、収容器１、Ｏ−Ｍガス発生装置２および筒部１３を有する。収容器１は、図６の（ａ）および図６の（ｂ）に示されるように、ポリ袋のような変形自在な容器（袋）であってもよい。図６の（ａ）は、布団などの布製品を対象物４とした場合の図であり、図６の（ｂ）はスマートフォンなどの小型の電子機器を対象物４とした場合の図である。収容器１の大きさおよび開閉のための構造は、収容器１で対象物４を実質的に密封可能な範囲で適宜に決めることが可能である。
【００３３】
筒部１３は、Ｏ−Ｍガス発生装置２を筒部１３に挿入したときに、Ｏ−Ｍガス発生装置２を下方から支持するための支持部を有している。筒部１３は、袋のような不定形の収容器１に対するＯ−Ｍガス発生装置２の接続状態を安定化させる観点からより一層効果的である。また、収容器１が不定形の袋であることは、消臭装置１００の携帯性および汎用性を高める観点からより一層効果的である。
【００３４】
また、筒部３は、図５の（ａ）および図５の（ｂ）に示されるような筒部であってもよい。この筒部３の軸方向の長さは、前述の実施形態の筒部３のそれよりも短い。このような筒部３は、収容器１内外に対する筒部３の占める空間をより小さくすることができる。よって、収容器の携帯性および運搬性を高める観点、および、それにより消臭装置１００の汎用性を高める観点、からより一層効果的である。
【００３５】
また、接合部５のフランジ部は、弾性を有していなくてもよい。たとえば、接合部５は、熱可塑性樹脂製、熱硬化性樹脂または金属製の部材であってもよい。また、フランジ部が弾性を有する場合は、フランジ部は、フランジ部の周面部（突出面）が筒部３の内周壁面に当接するように設計されていてもよい。
【００３６】
また、接合部５は、フランジ部以外であってもよい。たとえば、密着部は、Ｏ−Ｍガス発生装置２の周方向に形成されている、一端側から他端側へ漸次拡大するテーパ部であってもよい。このようなテーパ部は、異なる大きさの筒部の開口端に密着し得る。よって、収容器に対するＯ−Ｍガス発生装置２の汎用性を高める観点からより一層効果的である。
【００３７】
また、接合部５は、筒部３に配置されていてもよい。たとえば、密着部は、筒部３の内周壁面から突出し、筒部３に挿入されたＯ−Ｍガス発生装置２の表面に、全周に亘って当接する凸条であってもよい。さらに、密着部は、Ｏ−Ｍガス発生装置２と筒部３との両方に配置され、Ｏ−Ｍガス発生装置２の筒部３への挿入によって互いに密着する部分であってもよい。
【００３８】
また、凹条６および凸条１２は、筒部３への挿入時にＯ−Ｍガス発生装置２を筒部３へ案内するための案内部を構成しているが、Ｏ−Ｍガス発生装置２が凸条を有し、筒部３が凹条を有していてもよい。また、Ｏ−Ｍガス発生装置２または筒部３は、凹条に嵌め込み可能な略半球状の凸部を凸条に代えて有していてもよい。
【００３９】
また、通気口７および通気口１０は、十分な通気性を有する範囲において、孔でなくてもよい。また、これらの通気口の、Ｏ−Ｍガス発生装置２の表面における開口位置は、Ｏ−Ｍガス発生装置２を筒部３に挿入したときに収容器１の雰囲気が流通可能な範囲において、いかなる位置であってもよい。たとえば、これらの通気口は、Ｏ−Ｍガス発生装置２の一端部に開口し、Ｏ−Ｍガス発生部２３に通じる複数のスリットであってもよいし、Ｏ−Ｍガス発生機構を覆う網目状の部材の網目であってもよい。
【００４０】
また、操作部８は、ディスプレイに加えてスイッチ９を有しているが、表示部と入力部とが一体となっているタッチパネルであってもよい。
【００４１】
また、電力供給部１１は、ＵＳＢポート以外にも、電気シールドを接続するためのコネクタであってもよいし、Ｏ−Ｍガス発生装置に収容される二次電池であってもよいし、Ｏ−Ｍガス発生装置２の表面に配置される太陽電池であってもよい。また、電力供給部１１は、これらの組み合わせであってもよい。
【００４２】
〔タイマー機能〕
Ｏ−Ｍガス発生装置２は、タイマー機能を備えていてもよい。Ｏ−Ｍガス発生装置２におけるタイマー機能は、Ｏ−Ｍガス発生装置２を所定の時間作動させるためのものである。Ｏ−Ｍガス発生装置２は、操作者（ユーザ）により設定された時間作動して動作を停止することになるが、Ｏ−Ｍガスの収容器１への供給は、タイマーにおいて設定された時間より前に停止することが好ましい。例えば、６時間のタイマーであれば、Ｏ−Ｍガス発生装置２は、Ｏ−Ｍガスを収容器１に５時間供給し、残りの１時間はＯ−Ｍガスを供給しない動作を行うことが好ましい。オゾンは時間と共に分解して酸素となるため、ユーザは、収容器１内のオゾン濃度が低減した状態で収容器１を開封することができる。
【００４３】
ここで、タイマー機能を有するＯ−Ｍガス発生装置２における動作の詳細について、図７を参照しつつ以下に説明する。図７は、タイマー機能を有する場合のＯ−Ｍガス発生装置２の機能ブロック図である。制御部２０は、Ｏ−Ｍガス発生装置２の動作を制御するものである。タイマー部２１は、時間を計測する計時手段である。メモリ２２は、タイマー機能に関するプログラム（タイマープログラム）を記録している記録手段である。Ｏ−Ｍガス発生部２３は、Ｏ−Ｍガスを発生させるものである。
【００４４】
以下、タイマー機能について具体的に説明する。ここでは、タイマーを６時間に設定した場合を例に挙げて説明するが、タイマーの時間については適宜変更可能である。
【００４５】
操作者（ユーザ）が、操作部８を介してタイマー機能を設定すると、制御部２０は、ユーザにより設定されたタイマー機能の時間に基づいてタイマープログラム（メモリ２２に予め記録されている）をメモリ２２から読み出す。制御部２０は、読みだされたタイマープログラムに基づいて、タイマー部２１に時間の計測を指示する。このとき、読みだされるプログラムは、５時間に設定されており、タイマー部２１は５時間を計測する。タイマー部２１は５時間の計時を完了した時点で、制御部２０に対して計時の完了を通知する。
【００４６】
通知を受けた制御部２０は、Ｏ−Ｍガス発生部２３に対してＯ−Ｍガスの発生の停止を指示する。Ｏ−Ｍガス発生部２３は、制御部２０からの指示を受けてＯ−Ｍガスの発生を停止する。
【００４７】
なお、タイマー機能を有するＯ−Ｍガス発生装置２では、通知部（不図示）を用いてタイマー動作の完了をユーザに通知するようにしてもよい。この場合、タイマープログラムは５時間と１時間に計時が設定されていればよい。タイマー部２１はまず５時間を計時し、続いて１時間を計時する。そして、１時間の計時を完了した時点で、タイマー部２１は、制御部２０に計時の完了を再度通知する。制御部２０は、その通知に基づいて通知部に対して動作を指示する。通知部は、ＬＥＤ等を用いた光による通知を発信する装置であってもよいし、アラームや音声などの音による通知を発信する装置であってもよい。
【００４８】
また、メモリ２２は、複数のタイマープログラムを予め有していてもよい。この場合、ユーザが操作部８を介して複数のタイマー設定を選択し、選択されたタイマー設定に基づいて制御部２０がメモリ２２からタイマープログラムを読み出せばよい。
【００４９】
〔Ｏ−Ｍガス発生機構〕
前述の実施形態におけるＯ−Ｍガスを発生させる方法は、公知の方法でよく、例えばコロナ放電による方法である（例えば、非特許文献１参照）。コロナ放電は、エミッタと呼ばれる針状電極に高電圧を印加し、針の先端にコロナ放電を発生させる方法であり、空気中の分子をイオン化することにより、正負イオンおよびオゾン等が発生する。発生させるＯ−Ｍガスの組成は、針状電極に印加する電圧の極性の制御によってコントロールすることができ、例えば、当該電圧の極性の制御によってマイナスイオンのみを発生させることも可能である。また、Ｏ−Ｍガスにおけるオゾンの発生量は、印加電圧を高くするほど、または、パルス周波数を高くするほど増やすことが可能である。このように、コロナ放電による方法では、オゾンの発生量は、入力エネルギーに比例して増加させることが可能である。
【００５０】
なお、本実施形態に係る消臭装置は、筒部を有する収容器とＯ−Ｍガス発生装置とのセットの形態であってもよい。当該セットにおいて、筒部を有する収容器の数は、一つであってもよいし複数であってもよい。また、当該セットにおいて、Ｏ−Ｍガス発生装置の数は、一つであってもよいし複数であってもよい。さらに、前述の消臭装置としての利用の目的の範囲において、本発明におけるＯ−Ｍガス発生装置のみ、または筒部を有する収容器のみの実施も、本発明の実施の形態に含まれ得る。
【００５１】
〔まとめ〕
消臭装置１００は、対象物４を消臭するための消臭装置あって、対象物４を密封して収容するための収容器１と、収容器１の内外を連通する筒部３と、Ｏ−Ｍガスを発生させるためのＯ−Ｍガス発生部をその一端部に内蔵し、Ｏ−Ｍガス発生部を収容器１の内部に向けて筒部３に着脱自在に挿入されているＯ−Ｍガス発生装置２と、Ｏ−Ｍガス発生部よりも他端側で、Ｏ−Ｍガス発生装置２と筒部３との隙間を塞ぐ接合部５とを有する。そして、Ｏ−Ｍガス発生装置２は、Ｏ−Ｍガス発生部および収容器１内部を連通する通気口７を有する。
【００５２】
この構成によれば、筒部３を有する収容器１であれば、密封されている収容器１内にＯ−Ｍガス発生装置２によってＯ−Ｍガスを供給することが可能である。よって、消臭装置１００は、Ｏ−Ｍガスによる消臭が可能であり、かつ汎用性に優れる。
【００５３】
また、接合部５は、Ｏ−Ｍガス発生装置２の全周に配置された、筒部３の開口端に当接するフランジ部であってよい。このような構成によれば、筒部３の開口端への接合部５の当接によって、Ｏ−Ｍガス発生装置２の筒部３の挿入およびこれらの隙間の密封が実現される。よって、この構成は、Ｏ−Ｍガス発生装置２による収容器１の密封をより容易に実現する観点からより一層効果的である。
【００５４】
また、接合部５が弾性を有していることは、Ｏ−Ｍガス発生装置２による収容器１の密閉性を高める観点からより一層効果的である。
【００５５】
また、Ｏ−Ｍガス発生装置２が、接合部５よりも他端側に、Ｏ−Ｍガス発生部２３を操作するための操作部８をさらに有していてよい。この構成は、Ｏ−Ｍガス発生装置２の操作を簡便にし、また、個々のＯ−Ｍガス発生装置２における対象物４に合わせた消臭運転を行うのに有利である。よって、消臭装置１００の汎用性および利便性を高める観点からより一層効果的である。
【００５６】
また、筒部３は、その内周面に、筒部３の軸方向に沿って延出している凸条１２をさらに有し、Ｏ−Ｍガス発生装置２が、その外周面に、凸条１２に係合する凹条６をさらに有していてよい。この構成は、筒部３へのＯ−Ｍガス発生装置２の挿入を円滑かつ確実に行う観点からより一層効果的である。
【００５７】
また、Ｏ−Ｍガス発生装置２は、Ｏ−Ｍガス発生部でＯ−Ｍガスを発生させるための電力を供給するための電力供給部１１が、接合部５よりも他端部に配置されていてよい。この構成によれば、Ｏ−Ｍガス発生装置２への外部電源からの電力供給が可能であり、さらにＯ−Ｍガス発生装置２と外部との間でデータの送受信も可能となる。よって、この構成は、Ｏ−Ｍガス発生装置２の外部操作とＯ−Ｍガス発生装置２からのデータ収集とをより容易にする観点からより一層効果的である。
【００５８】
また、Ｏ−Ｍガス発生装置２は、対象物４を収容するための収容器１の内外を連通する筒部３に着脱自在に挿入されて収容器１内の対象物４の消臭に用いられるＯ−Ｍガス発生装置であって、その一端部に内蔵されているＯ−Ｍガスを発生させるためのＯ−Ｍガス発生部と、一端部に開口し、Ｏ−Ｍガス発生部を外部と連通する通気口７と、Ｏ−Ｍガス発生部を収容器１の内部に向けて筒部３に挿入したときに、Ｏ−Ｍガス発生部よりも他端側で、Ｏ−Ｍガス発生装置２と筒部３との隙間を塞ぐ接合部５とを有する。
【００５９】
この構成によれば、筒部３を有する収容器１であれば、Ｏ−Ｍガス発生装置２によって密封されている収容器１内の対象物４の消臭が可能である。よって、Ｏ−Ｍガス発生装置２は、Ｏ−Ｍガスによる消臭が可能であり、かつ汎用性に優れる消臭装置１００を実現することができる。
【００６０】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００６１】
１  収容器
２  Ｏ−Ｍガス発生装置
３、１３  筒部
４  対象物
５  接合部
６  凹条
７、１０  通気口
８  操作部
９  スイッチ
１１  ＵＳＢポート（電力供給部）
１２  凸条
２０  制御部
２１  タイマー部
２２  メモリ
２３  Ｏ−Ｍガス発生部
１００、２００  消臭装置
【図１】
2019097822.tif 000003
【図２】
2019097822.tif 000004
【図３】
2019097822.tif 000005
【図４】
2019097822.tif 000006
【図５】
2019097822.tif 000007
【図６】
2019097822.tif 000008
【図７】
2019097822.tif 000009